(57)【要約】【課題】ワインボトルの見やすい陳列と安定したストックが可能であり、かつ、ワインボトルの収納数の増大が図れると共に、ワインボトルの収容・取り出しを容易にすることができるワイン保冷庫を提供すること。【解決手段】ワインボトルを所定温度に保冷貯蔵するワイン保冷庫であって、一対の側壁と天井部１２と床部１３とからなる断熱性を有する庫体１０と、庫体内を正面側の陳列室２０と裏面側のストック室３０とに区画する仕切板１４と、庫体の正面側開口に開閉可能に装着される正面扉４０と、庫体の裏面側開口に開閉可能に装着される裏面扉５０と、を具備し、陳列室は、両側壁の対向する部位に、ワインボトルを縦置きに載置する載置棚２１が架設され、ストック室は、１本のワインボトルを横置きに載置する複数の収容空間３１を有する格子部３２が設けられ、正面扉及び裏面扉に、庫体の内部が目視可能な透明窓４１，５１を設ける。【選択図】    図４
2016099042.tif 000002
【特許請求の範囲】
【請求項１】
ワインボトルを所定温度に保冷貯蔵するワイン保冷庫であって、
一対の側壁と天井部と床部とからなる断熱性を有する庫体と、
上記庫体内を正面側の陳列室と裏面側のストック室とに区画する仕切板と、
上記庫体の正面側開口に開閉可能に装着される正面扉と、
上記庫体の裏面側開口に開閉可能に装着される裏面扉と、を具備し、
上記陳列室は、上記両側壁の対向する部位に、ワインボトルを縦置きに載置する載置棚が架設され、
上記ストック室は、１本のワインボトルを横置きに載置する複数の収容空間を有する格子部が設けられ、
上記正面扉及び裏面扉には、上記庫体の内部が目視可能な透明窓が設けられている、
ことを特徴とするワイン保冷庫。
【請求項２】
請求項１に記載のワイン保冷庫において、
上記陳列室に設けられる載置棚は、矩形枠体と、上記矩形枠体を構成する枠体構成材の対向する両枠体構成材に互いに間隔をおいて連結される複数のパイプ部材とからなる、ことを特徴とするワイン保冷庫。
【請求項３】
請求項１に記載のワイン保冷庫において、
上記ストック室は、上記両側壁の対向する部位に架設される仕切棚によって区画される空間に、上記格子部が設けられ、
上記仕切棚は、矩形枠体と、上記矩形枠体を構成する枠体構成材の対向する両枠体構成材に互いに間隔をおいて連結される複数のパイプ部材と、上記矩形枠体とパイプ部材の上面に敷設される多孔板とからなる、ことを特徴とするワイン保冷庫。
【請求項４】
請求項１又は３に記載のワイン保冷庫において、
上記格子部は、収容空間が菱形を有する傾斜格子状に形成されている、ことを特徴とするワイン保冷庫。
【発明の詳細な説明】
【技術分野】
【０００１】
この発明は、ワインボトルを所定温度に保冷貯蔵するワイン保冷庫に関するものである。
【背景技術】
【０００２】
従来、この種のワイン保冷庫として、ワインの銘柄等を見やすく陳列すると共に、ワインボトルを横向きにストックできるワイン保冷庫が知られている（例えば、特許文献１参照）。
【０００３】
特許文献１に記載のワイン保冷庫は、保冷庫の正面側の保冷庫内のワインボトル収納部には、ワインボトルを所定位置に収納するための網棚が多段に形成されている。最上段の網棚は、ワインの銘柄等を見やすくするために傾斜して収納できるように構成され、また、２段目以降の下段の網棚は、ワインボトルをほぼ水平に収納できるように構成されている。
【０００４】
上記網棚は、ワインボトル間に庫内空気通路を形成するために線材で形成されており、ワインボトルの座りを良くするために、各ワインボトルの収納位置には、ワインボトルの直径より幅狭に配置した２本の線材が前後方向に掛け渡されている。また、線材は、庫内奥側端部を上方に短く折り曲げた折り曲げ部を有し、この折り曲げ部上端部は各段毎に左右方向の線材により連結されている。この折り曲げ部と左右方向の線材とは、栓部側が開閉扉側に向くようにワインボトルをこの網棚に載置した場合に、ワインボトルの底部に対する位置決め用当たりを形成している。
【先行技術文献】
【特許文献】
【０００５】
【特許文献１】特開２０００−２０５７３９号公報
【発明の概要】
【発明が解決しようとする課題】
【０００６】
しかし、特許文献１に記載のワイン保冷庫においては、保冷庫の収納部の最上段の網棚にワインボトルを傾斜して収納するため、ワインボトルのラベルが視認し難く、かつ、多種類のワインボトルを陳列し難くなり、需要者に購買意欲を促す陳列は困難であった。
【０００７】
また、ワインボトルを収納する網棚は、ワインボトルの直径より幅狭に配置した２本の線材と、各線材の端部を上方に短く折り曲げた折り曲げ部を連結する線材とによって構成されるため、構造が複雑であり、ワインボトルのストックが不安定となる懸念がある。
【０００８】
更には、保冷庫の正面側にワインボトルの陳列部とストック部が位置するため、ワインボトルの収納数が少ない上、ワインボトルの収納・取り出しが面倒であるなどの懸念がある。
【０００９】
この発明は、上記事情に鑑みてなされたもので、陳列部とストック部を保冷庫の正面側と裏面側に分けることで、ワインボトルの見やすい陳列と安定したストックが可能であり、かつ、ワインボトルの収納数の増大が図れると共に、ワインボトルの収容・取り出しを容易にすることができるワイン保冷庫を提供することを課題とする。
【課題を解決するための手段】
【００１０】
上記課題を達成するために、この発明に係るワイン保冷庫は、ワインボトルを所定温度に保冷貯蔵するワイン保冷庫であって、一対の側壁と天井部と床部とからなる断熱性を有する庫体と、上記庫体内を正面側の陳列室と裏面側のストック室とに区画する仕切板と、上記庫体の正面側開口に開閉可能に装着される正面扉と、上記庫体の裏面側開口に開閉可能に装着される裏面扉と、を具備し、上記陳列室は、上記両側壁の対向する部位に、ワインボトルを縦置きに載置する載置棚が架設され、上記ストック室は、１本のワインボトルを横置きに載置する複数の収容空間を有する格子部が設けられ、上記正面扉及び裏面扉には、上記庫体の内部が目視可能な透明窓が設けられている、ことを特徴とする（請求項１）。
【００１１】
このように構成することにより、仕切板によって庫体を補強することができ、仕切板によって区画された正面側の陳列室に架設された載置棚に多数多種類のワインボトル及びラベルを購買者に視認し易い状態で縦置きにして陳列することができる。また、仕切板によって区画された裏面側のストック室に設けられた格子部に形成される収容空間内に１本のワインボトルを横置きに載置することができる。
【００１２】
この発明において、上記陳列室に設けられる載置棚は、矩形枠体と、上記矩形枠体を構成する枠体構成材の対向する両枠体構成材に互いに間隔をおいて連結される複数のパイプ部材とからなる構造とするのが好ましい（請求項２）。
【００１３】
このように構成することにより、載置棚に剛性を持たせることができると共に、パイプ部材間の隙間を介して陳列室内の冷気の流れを円滑にすることができ、陳列されるワインボトルの保冷を維持することができる。
【００１４】
また、この発明において、上記ストック室は、上記両側壁の対向する部位に架設される仕切棚によって区画される空間に、上記格子部が設けられ、上記仕切棚は、矩形枠体と、上記矩形枠体を構成する枠体構成材の対向する両枠体構成材に互いに間隔をおいて連結される複数のパイプ部材と、上記矩形枠体とパイプ部材の上面に敷設される多孔板とからなる構造とするのが好ましい（請求項３）。
【００１５】
このように構成することにより、ストック室に設けられる格子部を仕切棚によって支持することができる。また、仕切棚に剛性を持たせることができると共に、多孔板に設けられた透孔及びパイプ部材間の隙間を介してストック室内の冷気の流れを円滑にすることができ、ストック室にストックされるワインボトルの保冷を維持することができる。
【００１６】
また、この発明において、上記格子部は、収容空間が菱形を有する傾斜格子状に形成されているのが好ましい（請求項４）。
【００１７】
このように構成することにより、収容空間を形成する菱形の下部Ｖ字状の部分で横置きのワインボトルの下部を支持することができるので、ワインボトルのストックを安定させることができる。
【発明の効果】
【００１８】
この発明によれば、上記のように構成されているので、ワインボトルの見やすい陳列と安定したストックが可能であり、かつ、ワインボトルの収納数の増大が図れると共に、ワインボトルの収容・取り出しを容易にすることができると共に、ワインボトルの収容・取り出しを容易にすることができる。
【図面の簡単な説明】
【００１９】
【図１】この発明に係るワイン保冷庫の正面斜視図である。
【図２】この発明に係るワイン保冷庫の背面扉を開いた状態の背面斜視図である。
【図３】上記背面扉を除いた状態を示す背面図である。
【図４】この発明に係るワイン保冷庫の概略縦断面図である。
【図５】この発明における仕切板の取付状態を示す断面図（ａ）及び別の取付状態を示す断面図（ｂ）である。
【図６】この発明における陳列室の半分を断面で示す縦断面図である。
【図７】上記陳列室の正面扉を示す要部断面図である。
【図８】上記陳列室の載置棚を示す斜視図である。
【図９】この発明におけるストック室の仕切棚を示す分解斜視図である。
【図１０】上記ストック室の格子部と仕切棚の取付状態を示す要部断面図である。
【図１１】上記格子部を構成する第１の格子構成部材の取付状態を示す斜視図である。
【図１２】別の格子部と仕切棚の取付状態を示す要部断面図である。
【図１３】上記別の格子部を示す斜視図である。
【図１４】上記別の格子部を構成する第２の格子構成部材を示す側面図である。
【図１５】図１２のＩ−Ｉ線に沿う断面図である。
【図１６】上記第２の格子構成部材を連結する連結具本体の正面図（ａ）、（ａ）のII−II線に沿う断面図（ｂ）及び背面図（ｃ）である。
【図１７】上記第２の格子構成部材を連結する固定ピンを示す斜視図である。
【発明を実施するための形態】
【００２０】
以下に、この発明を実施するための形態について、添付図面に基づいて詳細に説明する。
【００２１】
この発明に係るワイン保冷庫は、一対の側壁１１と天井部１２と床部１３とからなる断熱性を有する庫体１０と、庫体１０内を正面側の陳列室２０と裏面側のストック室３０とに区画する仕切板１４と、庫体１０の正面側開口に開閉可能に装着される正面扉４０と、庫体１０の裏面側開口に開閉可能に装着される裏面扉５０と、を具備し、正面扉４０及び裏面扉５０には、庫体１０の内部が目視可能な透明窓４１，５１が設けられている。また、庫体１０の上部には冷却ユニット１が搭載されており、図示しない送風ファンによって庫体１０の天井部１２に設けられた連通口（図示せず）を介して庫体１０内に所定温度の冷気を供給可能に構成されている。なお、床部１３の下面には、キャスタ２と図示しないアジャスタが装着されている。
【００２２】
この場合、側壁１１と天井部１２と床部１３は、それぞれ一対の例えばアルミニウム製あるいは鋼板製の表面板１５と、両表面板１５の辺部同士を連結する例えばアルミニウム製あるいは塩化ビニル製の押出形材にて形成される枠材１６と、表面板１５と枠材１６とで形成される空間内に充填される例えば発泡ポリウレタン製の断熱心材１７とからなる断熱パネルにて形成されている。
【００２３】
なお、床部１３と側壁１１の接合、隣接する側壁１１同士の接合及び側壁１１と天井部１２の接合は、枠材１６に設けた嵌合凹条１８ａと嵌合凸条１８ｂとを嵌合させて行っている（図６参照）。
【００２４】
一方、正面扉４０及び裏面扉５０も庫体１０を構成する側壁１１と天井部１２及び床部１３と同様に矩形状の断熱パネルにて形成されている。正面扉４０を代表して説明すると、正面扉４０は、一対の例えばアルミニウム製あるいは鋼板製の表面板４２と、両表面板４２の辺部同士を連結する例えばアルミニウム製あるいは塩化ビニル製の押出形材にて形成される枠材４３と、表面板４２と枠材４３とで形成される空間内に充填される例えば発泡ポリウレタン製の断熱心材４４とからなる断熱パネルにて形成されている。
【００２５】
上記のように、側壁１１と天井部１２と床部１３と正面扉４０及び裏面扉５０を、表面板１５，４２を有する断熱パネルにて形成することにより、特に側壁１１及び正面扉４０及び裏面扉５０の表面板１５，４２に塗装等を施して色彩や模様等を適宜変更することができる。これにより保冷庫の使用を和風や洋風等に対応させることができ、自由度を持たせることができる。
【００２６】
また、正面扉４０及び裏面扉５０の中央部には、それぞれ外部より庫体１０内が可視可能な矩形状の透明窓４１，５１が設けられている。この場合、透明窓４１，５１は透明ガラスにて形成されており、正面扉４０及び裏面扉５０（図７では正面扉４０を示す）に設けられた矩形状開口にパッキン４７を介して窓枠部材４６によって設置されている。なお、透明窓４１，５１を二重ガラスでその間を真空にした真空断熱ガラスにすることも可能である。これにより、透明窓４１，５１の断熱性を向上させることができる。
【００２７】
なお、図７に示すように、正面扉４０の枠材４３の庫体側にはシールパッキン４５が周設されており、このシールパッキン４５が、庫体１０の開口部の枠材１６の端面に装着された結露防止用のヒータ線Ｈを保持するアルミニウム押出形材からなるヒータ線押さえ用の化粧枠１９に当接可能に形成されている。また、正面扉４０の自由端側の表面中央部にはハンドル（図示せず）が装着され、自由端部には、庫体１０の側壁１１の外側面に装着されたラッチ受け（図示せず）に係脱可能に係合するラッチ爪（図示せず）が出没可能に装着されている。また、図７に示すように、正面扉４０の自由端部側の庫体側面には、庫体１０の床部１３の上面に固定金具５によって立設されたマグネットキャッチャ６に吸着可能な磁性板７が固着されている。なお、裏面扉５０の自由端側の表面には、上下に渡ってハンドル５２が装着されている（図４参照）。
【００２８】
仕切板１４は、矩形状の断熱パネルにて形成されている。例えば、図５に示すように、一対の例えばアルミニウム製あるいは鋼板製の表面板１４ａと、両表面板１４ａの辺部同士を連結する例えばアルミニウム製あるいは塩化ビニル製の押出形材にて形成される枠材１４ｂと、表面板１４ａと枠材１４ｂとで形成される空間内に充填される例えば発泡ポリウレタン製の断熱心材１４ｃとからなる断熱パネルにて形成されている。これにより、仕切板１４の表面板１４ａに塗装等を施して色彩，模様や広告等を適宜変更することができる。これにより保冷庫の使用を和風や洋風等に対応させることができ、自由度を持たせることができる。
【００２９】
上記のように構成される仕切板１４は、図５（ａ）に示すように、庫体１０の天井部１２と床部１３の対向する面に固定されたチャンネル状の上部取付枠材６１と下部取付枠材６２の対向する溝部にけんどん式に取り付けられている。仕切板１４を庫体１０内に取り付けるには、仕切板１４を斜め状態にして仕切板１４の上端を上部取付枠材６１の溝部内に挿入した後、仕切板１４の下端を下部取付枠材６２の溝部内に落とし込んで仕切板１４を庫体１０内に取り付ける。
【００３０】
仕切板１４の庫体１０内への取付形態は必ずしも上記けんどん式である必要はなく、別の取付形態によって行ってもよい。例えば、図５（ｂ）に示すように、庫体１０の天井部１２と床部１３の対向する面に固定されたアングル状の上部ブラケット６３と下部ブラケット６４の垂直片６５に仕切板１４の上端面と下端面を当接し、固定ねじ６６によって仕切板１４を固定するようにしてもよい。
【００３１】
上記陳列室２０は、両側壁１１の対向する部位に、ワインボトルＢを縦置きに載置する複数の載置棚２１が適宜間隔を置いて架設されている。この場合、図６に示すように、対峙する側壁１１の内面に、例えばねじ，リベット、溶接等の固定手段によって連続する凹凸部７１を有する取付板７０を固着し、この取付板７０の凹凸部７１に載置棚２１が着脱可能に架設されるようになっている。
【００３２】
なお、陳列室２０の上部にＬＥＤ照明器３を配置する場合は、取付板７０の最上部の凹凸部７１には、ＬＥＤ照明器３を組み付けた天板４を着脱可能に載置することで、ＬＥＤ照明器３を庫体１０内の天井部側に配置することができる。なお、ＬＥＤ照明器３は、図示しないプラグを介して電源ユニット（図示せず）に着脱可能に接続されるようになっている。なお、ＬＥＤ照明器３は、必ずしも図６に示すように取付板７０の凹凸部７１に載置されて取り付けられるものに限定されることはなく、例えば天井部１２の下面に直接取り付けるようにしてもよい。
【００３３】
上記載置棚２１は、図８に示すように、例えばステンレス鋼製の２本の長尺の枠体構成材２２ａ，２２ｂと２本の短尺の枠体構成材２２ｃ，２２ｄを組み付けてなる矩形枠体２２と、矩形枠体２２を構成する枠体構成材２２ａ，２２ｂ，２２ｃ，２２ｄの対向する両枠体構成材２２ａ，２２ｂに互いに間隔をおいて連結される複数のステンレス鋼製あるいはアルミニウム製のパイプ部材２３とからなる。
【００３４】
上記のように載置棚２１を構成することにより、載置棚２１に剛性を持たせることができると共に、パイプ部材２３間の隙間を介して陳列室２０内の冷気の流れを円滑にすることができ、陳列室２０に陳列されるワインボトルＢの保冷を維持することができる。
【００３５】
上記ストック室３０には、１本のワインボトルＢを横置きに載置する複数の収容空間３１を有する格子部３２が設けられている。この場合、格子部３２は、両側壁１１の対向する部位に架設される仕切棚３３によって区画される空間３４に設けられている。
【００３６】
この場合、図１０に示すように、対峙する側壁１１の内面に、例えばねじ，リベット、溶接等の固定手段によって連続する凹凸部７１Ａを有する取付板７０Ａを固着し、この取付板７０Ａの凹凸部７１Ａに仕切棚３３が着脱可能に架設されるようになっている。
【００３７】
仕切棚３３は、図９に示すように、例えばステンレス鋼製の２本の長尺の枠体構成材３５ａ，３５ｂと２本の短尺の枠体構成材３５ｃ，３５ｄを組み付けてなる矩形枠体３５と、矩形枠体３５を構成する枠体構成材３５ａ，３５ｂ，３５ｃ，３５ｄの対向する両枠体構成材３５ａ，３５ｂに互いに間隔をおいて連結される複数のステンレス鋼製あるいはアルミニウム合金製のパイプ部材３６と、矩形枠体３５とパイプ部材３６の上面に敷設される複数の透孔３７ａを千鳥状に設けたアルミニウム合金製の多孔板３７とからなる。
【００３８】
上記のように仕切棚３３を構成することにより、仕切棚３３に剛性を持たせることができると共に、多孔板３７の透孔３７ａ及びパイプ部材３６間の隙間を介してストック室３０内の冷気の流れを円滑にすることができ、ストック室３０にストックされるワインボトルＢの保冷を維持することができる。
【００３９】
格子部３２は、図１０に示すように、収容空間３１が菱形を有する傾斜格子状に形成されている。この場合、図１１に示すように、例えばアルミニウム製あるいはアクリル樹脂製の格子構成部材３２ａの一方の側面に開口するスリット３２ｂを等間隔に設け、交差する格子構成部材３２ａのスリット３２ｂ同士を係合させて収容空間３１が菱形を有する傾斜格子状の格子部３２を構成することができる。なお、格子部３２の側端部は、取付板７０Ａの凹凸部７１Ａに係合可能になっている。
【００４０】
上記のように、格子部３２を収容空間３１が菱形を有する傾斜格子状に形成することにより、収容空間３１を形成する菱形の下部Ｖ字状の部分で横置きのワインボトルＢの下部を支持することができるので、ワインボトルＢのストックを安定させることができる。
【００４１】
上記実施形態では、交差する格子構成部材３２ａのスリット３２ｂ同士を係合させて収容空間３１が菱形を有する傾斜格子状の格子部３２を構成する場合について説明したが、別の手段によって格子部を構成してもよい。
【００４２】
例えば、図１２ないし図１５に示すように、長手方向に沿って連続するＷ状に折曲される複数枚の格子構成部材３２ｃにおける折曲部３２ｄを、後述する連結具本体３２ｅと固定ピン３２ｆとからなる連結具３２ｇによって固定して、複数の菱形状の収容空間３１を有する格子部３２Ａを形成することができる。
【００４３】
この場合、格子構成部材３２ｃは、図１４に示すように、長手方向に沿って連続するＷ状に形成すべく複数の折曲部３２ｄを有する波形状に形成されている。このように形成される格子構成部材３２ｃは、例えばアルミニウム合金製の押出形材にて板状に形成した後、折曲加工して成形される。 
【００４４】
上記連結具３２ｇは、図１６及び図１７に示すように、格子構成部材３２ｃの折曲部３２ｄの辺縁を挿入する２つの対向する挿入溝３２ｈを有すると共に、両挿入溝３２ｈの間に穿設される透孔３２ｉの縁部から挿入溝側に向かって突出する弾性変形可能な押え片３２ｊを有する連結具本体３２ｅと、この連結具本体３２ｅの透孔３２ｉ内に着脱可能に挿入されて、押え片３２ｊを格子構成部材３２ｃの折曲部辺縁側に押圧する固定ピン３２ｆとで構成されている。 
【００４５】
この場合、連結具本体３２ｅは、図１６に示すように、凹状の４辺を有する略十字状に形成されて、組立時の摘みを容易に行えるように考慮してある。また、透孔３２ｉは、外方側に大形段部３２ｋを有する段付矩形状に形成され、この透孔３２ｉの対向する２辺から突出する押え片３２ｊは、両押え片３２ｊの対向する面に、それぞれ円弧状の膨隆係合部３２ｍが設けられている。なお、連結具本体３２ｅにおける挿入溝３２ｈが設けられていない２辺の内方には、格子構成部材３２ｃの辺縁の挿入を阻止するためのストッパ部３２ｎが設けられている。このように形成される連結具本体３２ｅは、例えばポリアミド樹脂のような耐摩耗性，潤滑性，耐薬品性及び耐油性等に富む合成樹脂製材料にて形成されている。 
【００４６】
一方、上記固定ピン３２ｆは、図１７に示すように、先端に円弧状部３２ｐを有する断面矩形状に形成されると共に、基端には、上記透孔３２ｉの大形段部３２ｋに係合する大形頭部３２ｑが設けられている。このように形成される固定ピン３２ｆは、上記連結具本体３２ｅと同様にポリアミド樹脂等の合成樹脂製材料にて形成されている。
【００４７】
上記のように形成される連結具本体３２ｅと固定ピン３２ｆを用いて格子構成部材３２ａを連結固定するには、まず、格子構成部材３２ａの折曲部同士を平行にして積み重ねる。次に、積層される隣接する格子構成部材３２ａの折曲部３２ｄを、連結具本体３２ｅの挿入溝３２ｈ内に挿入した状態で、透孔３２ｉ内に固定ピン３２ｆを挿入すると共に、この固定ピン３２ｆの挿入によって押え片３２ｊの膨隆係合部３２ｍを押圧しつつ押え片３２ｊを積極的に格子構成部材３２ａ側に押圧して、隣接する格子構成部材３２ａ同士を、楔作用によって強固に連結固定する。このようにして、積層された格子構成部材３２ａの折曲部３２ｄを連結具本体３２ｅと固定ピン３２ｆとで連結固定して、菱形状の収容空間３１を有する傾斜状の格子部３２Ａを組立てることができる。この状態において、固定ピン３２ｆの大形頭部３２ｑは、連結具本体３２ｅの透孔３２ｉに設けられた大形段部３２ｋ内に係合収納されるため、外部へ突出することがなく、引っ掛かりの心配がない。
【００４８】
なお、上記実施形態では、格子部３２，３２Ａは、菱形状の収容空間３１を有する傾斜状に形成される場合について説明したが、収容空間３１を矩形状に形成してもよい。
【００４９】
また、上記実施形態では、図８に示すように、載置棚２１は、矩形枠体２２と、矩形枠体２２を構成する対向する両枠体構成材２２ａ，２２ｂに互いに間隔をおいて連結される複数のパイプ部材２３とからなる場合について説明したが、図９に示した仕切棚３３と同様の構造としてもよい。すなわち、矩形枠体２２とパイプ部材２３の上面に載置される多孔板を具備する構造としてもよい。
【００５０】
上記のように構成される実施形態のワイン保冷庫によれば、仕切板１４によって庫体１０を補強することができ、仕切板１４によって区画された正面側の陳列室２０に架設された載置棚２１にワインボトルＢを縦置きにして陳列することができる。したがって、ワインボトルＢを見やすい状態で陳列することができる。
【００５１】
また、仕切板１４によって区画された裏面側のストック室３０に設けられた格子部３２，３２Ａの収容空間３１内に１本のワインボトルＢを横置きに載置することができるので、ワインボトルＢを安定した状態でストックすることができると共に、ワインボトルＢの収容と取り出しを容易にすることができる。
【符号の説明】
【００５２】
１０  庫体
１１  側壁
１２  天井部
１３  床部
１４  仕切板
２０  陳列室
２１  載置棚
２２  矩形枠体
２３  パイプ部材
３０  ストック室
３１  収容空間
３２，３２Ａ  格子部
３３  仕切棚
３４  空間
３５  矩形枠体
３６  パイプ部材
３７  多孔板
４０  正面扉
４１  透明窓
５０  裏面扉
５１  透明窓
【図１】
2016099042.tif 000003
【図２】
2016099042.tif 000004
【図３】
2016099042.tif 000005
【図４】
2016099042.tif 000006
【図５】
2016099042.tif 000007
【図６】
2016099042.tif 000008
【図７】
2016099042.tif 000009
【図８】
2016099042.tif 000010
【図９】
2016099042.tif 000011
【図１０】
2016099042.tif 000012
【図１１】
2016099042.tif 000013
【図１２】
2016099042.tif 000014
【図１３】
2016099042.tif 000015
【図１４】
2016099042.tif 000016
【図１５】
2016099042.tif 000017
【図１６】
2016099042.tif 000018
【図１７】
2016099042.tif 000019